【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、
上記選択手段によって選択した値に応じて、動きを示す動き係数を出力する動き係数生成手段と
を有する映像信号処理装置。
【請求項２】
上記第２の動き検出部は、上記抽出した輝度信号と、当該輝度信号を上記色副搬送波の１周期分だけ遅延した遅延信号との差分に応じて、第１の水平相関検出信号を出力する第１の水平相関検出部と、
上記抽出した輝度信号を上記色副搬送波の周波数を中心周波数とするバンドパスフィルタを通して得た信号の振幅に応じて、第２の水平相関検出信号を出力する第２の水平相関検出部と、
上記第１と第２の水平相関検出信号の論理積に応じて、色信号の水平相関を示す水平相関検出信号を生成する論理回路と
を有する請求項１記載の映像信号処理装置。
【請求項３】
上記第２の動き検出部は、上記現在のフレームにおける垂直方向における複数のコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、
対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、
対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、
上記第１、第２及び第３の垂直相関検出信号の論理積に応じて、色信号の垂直相関を示す垂直相関検出信号を生成する論理回路と、
上記水平相関検出信号と上記垂直相関検出信号の論理積に応じて、上記第２の動き検出信号を出力する論理演算回路と
を有する請求項２記載の映像信号処理装置。
【請求項４】
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、
上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、
上記第２の選択手段によって選択した値に応じて、動きを示す動き係数を出力する動き係数生成手段と
を有する映像信号処理装置。
【請求項５】
上記第２の動き検出部は、上記抽出した輝度信号と、当該輝度信号を上記色副搬送波の１周期分だけ遅延した遅延信号との差分に応じて、第１の水平相関検出信号を出力する第１の水平相関検出部と、
上記抽出した輝度信号を上記色副搬送波の周波数を中心周波数とするバンドパスフィルタを通して得た信号の振幅に応じて、第２の水平相関検出信号を出力する第２の水平相関検出部と、
上記第１と第２の水平相関検出信号の論理積に応じて、色信号の水平相関を示す水平相関検出信号を生成する論理回路と
を有する請求項４記載の映像信号処理装置。
【請求項６】
上記第２の動き検出部は、上記現在のフレームにおける垂直方向における複数のコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、
対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、
対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、
上記第１、第２及び第３の垂直相関検出信号の論理積に応じて、色信号の垂直相関を示す垂直相関検出信号を生成する論理回路と、
上記水平相関検出信号と上記垂直相関検出信号の論理積に応じて、上記第２の動き検出信号を出力する論理演算回路と
を有する請求項５記載の映像信号処理装置。
【請求項７】
コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、
上記選択手段によって選択した値に応じて、動きを示す上記動き係数を出力する動き係数生成手段と
を有するテレビ受像機。
【請求項８】
コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、
現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、
上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、
上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、
上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、
上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、
上記第２の選択手段によって選択した値に応じて、動きを示す上記動き係数を出力する動き係数生成手段と
を有するテレビ受像機。
【手続補正２】
【補正対象書類名】明細書
【補正対象項目名】００１８
【補正方法】変更
【補正の内容】
【００１８】
【課題を解決するための手段】
上記目的を達成するため、本発明の第１の観点の映像信号処理装置は、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、上記選択手段によって選択した値に応じて、動きを示す動き係数を出力する動き係数生成手段とを有する。
【手続補正３】
【補正対象書類名】明細書
【補正対象項目名】００１９
【補正方法】変更
【補正の内容】
【００１９】
また、本発明の第２の観点の映像信号処理装置は、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、上記第２の選択手段によって選択した値に応じて、動きを示す動き係数を出力する動き係数生成手段とを有する。
【手続補正４】
【補正対象書類名】明細書
【補正対象項目名】００２０
【補正方法】変更
【補正の内容】
【００２０】
また、本発明の第１の観点のテレビ受像機は、コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号または上記第２の動き検出信号の何れかが動きがあることを示しているとき、上記色信号差分演算手段によって算出した上記色信号の差分を選択し、上記第１の動き検出信号及び上記第２の動き検出信号がともに動きがないことを示しているとき、動きがないことを示す所望の値を選択する選択手段と、上記選択手段によって選択した値に応じて、動きを示す上記動き係数を出力する動き係数生成手段とを有する。
【手続補正５】
【補正対象書類名】明細書
【補正対象項目名】００２１
【補正方法】変更
【補正の内容】
【００２１】
また、本発明の第２の観点のテレビ受像機は、コンポジット映像信号に基づいて生成した動き係数に応じて画像の動きを判定し、動きがない静止画に対してフレームコムフィルタを用いて、上記コンポジット映像信号から輝度信号と色信号を分離し、動きがある動画に対してバンドパスフィルタまたは２次元コムフィルタを用いて、上記コンポジット映像信号から輝度信号と色信号を分離して映像信号を再生するテレビ受像機であって、現在のフレームにおける所定のコンポジット映像信号に含まれている輝度信号と所定の時間間隔をもつ前のフレームにおけるコンポジット映像信号に含まれている輝度信号の差分を求め、当該差分に応じて第１の動き検出信号を出力する第１の動き検出部と、上記現在のフレームにおける垂直方向に所定の間隔をもつ複数のコンポジット映像信号と上記前のフレームの同位置における垂直方向に所定の複数のコンポジット映像信号に基づき、上記現在のフレームにおける上記複数のコンポジット映像信号に含まれている輝度信号を抽出し、抽出した輝度信号に残留した色信号成分の相関を検出し、当該検出の結果に応じて第２の動き検出信号を出力する第２の動き検出部と、上記現在のフレームにおける上記複数のコンポジット映像信号に基づき算出した現在のフレームにおける色信号と上記前のフレームのコンポジット映像信号とに基づき算出した前のフレームにおける色信号の絶対値の差分を計算する色信号差分演算手段と、上記第１の動き検出信号が動きありを示すとき、上記色信号差分演算手段によって算出した上記色信号の差分を選択し、上記第１の動き検出信号が動きなしを示すとき、動きがないことを示す所望の第１の値を選択する第１の選択手段と、上記第２の動き検出信号が動きありを示すとき、動きがあることを示す所望の第２の値を選択し、上記第２の動き検出信号が動きなしを示すとき、上記第１の選択手段の出力信号を選択する第２の選択手段と、上記第２の選択手段によって選択した値に応じて、動きを示す上記動き係数を出力する動き係数生成手段とを有する。
【手続補正６】
【補正対象書類名】明細書
【補正対象項目名】００２３
【補正方法】変更
【補正の内容】
【００２３】
さらに、本発明では、好適には、上記第２の動き検出部は、上記現在のフレームにおける垂直方向における複数のコンポジット映像信号から抽出した第１、第２と第３の輝度信号に応じて、対応する色信号が同相であるコンポジット映像信号から抽出した第１と第３の輝度信号の差分に応じて、第１の垂直相関検出信号を出力する第１の垂直相関検出部と、対応する色信号が逆相であるコンポジット映像信号に対応する第１と第２の輝度信号が色副搬送波の周波数を中心周波数とするバンドパスフィルタを通過した信号の差分に応じて、第２の垂直相関検出信号を出力する第２の垂直相関検出部と、対応する色信号が逆相であるコンポジット映像信号に対応する第２と第３の輝度信号が色副搬送波の周波数を中心周波数とするバンドパスフィルタを通過した信号の差分に応じて、第３の垂直相関検出信号を出力する第３の垂直相関検出部と、上記第１、第２及び第３の垂直相関検出信号の論理積に応じて、色信号の垂直相関を示す垂直相関検出信号を生成する論理回路と、上記水平相関検出信号と上記垂直相関検出信号の論理積に応じて、上記第２の動き検出信号を出力する論理演算回路とを有する。
【手続補正７】
【補正対象書類名】明細書
【補正対象項目名】００２４
【補正方法】変更
【補正の内容】
【００２４】
本発明によれば、現在のフレームにおける所定のコンポジット映像信号と所定の時間間隔をもつ前のフレームにおける所定のコンポジット映像信号に含まれている輝度信号に応じて、第１の動き検出信号即ちＹ動き検出信号が得られる。そして、現在のフレームにおける所定の間隔をもつ複数のコンポジット映像信号と前のフレームの同位置における複数のコンポジット映像信号に基づき、現在のフレームにおける上記複数のコンポジット映像信号に対応する複数の輝度信号を抽出し、抽出した複数の輝度信号に残留している色信号成分の相関性を利用して第２の動き検出信号、即ちＣ動き検出信号が得られる。そして、第１と第２の動き検出信号に基づき、現在のフレームと前のフレームにおいて抽出した色信号の差分、または動き量を示す所望の定数を選択して、選択した値に基づき画像の動きを示す動き係数が生成される。
そして、本発明に係るテレビ受像機において、上記動き係数に基づき画像における動画部分と静止画部分を判定し、それぞれの部分において異なるＹ／Ｃ分離方法を用いて輝度信号と色信号を分離するので、Ｙ／Ｃ分離の精度を向上させ、画質の改善をはかる。
【手続補正８】
【補正対象書類名】明細書
【補正対象項目名】００３１
【補正方法】変更
【補正の内容】
【００３１】
Ｃレベル判定回路３０２は、３ラインコムフィルタにより生成されＣ信号の高域成分のレベルを判定し、当該判定の結果に応じて選択回路３０４を制御する。  選択回路３０４は、Ｃ成分の高域成分のレベルが大きい場合、Ｙ信号の差分量をローパスフィルタ３０３を通してＹ動き係数生成回路３０６に出力し、一方、Ｃ成分のレベルが小さい場合、Ｙ信号の差分量がそのままＹ動き係数生成回路３０６に出力する。
これは、色のついた横線や斜め線など、垂直方向のサブキャリア（色副搬送波）の相関が非相関となる絵柄では、色信号の位相関係により、３ラインコムフィルタの出力のＹ信号にサブキャリア成分が残り、静止画においてもＹ信号の差分が生じ、そのまま差分を動き量とすると、静止画の部分を動画部分と誤判断するからである。サブキャリアの影響を抑制するために、Ｙ動き検出回路３０では、ローパスフィルタ３０３により、Ｙ信号の差分の帯域を制限する。
【手続補正９】
【補正対象書類名】明細書
【補正対象項目名】００３２
【補正方法】変更
【補正の内容】
【００３２】
垂直エッジ判定回路３０５は、映像信号の垂直方向にエッジがあるか否かを判定し、当該判定結果に応じてＹ動き係数生成回路３０６の動作を制御する。
Ｙ動き係数生成回路３０６では、垂直エッジ判定回路３０５の判定結果を受けて、絶対値演算、コアリング処理、さらに孤立点除去及びゲイン調整を行い、Ｙ動き係数ＭＶＣy を出力する。
【手続補正１０】
【補正対象書類名】明細書
【補正対象項目名】００３３
【補正方法】変更
【補正の内容】
【００３３】
Ｙ動き係数生成回路３０６において、選択回路３０４から入力された動き量の絶対値を計算し、当該動き量の絶対値と適当な大きさの基準値とを比較し、動き量の絶対値が基準値よりも小さいとき、動き量を０に置き換えるコアリング処理が行われる。コアリング処理により、振幅の小さいノイズ成分が除去される。さらに、孤立点除去処理により、フレーム間の連続性を検出し、静止画に対して誤判定を防止する。
さらに、Ｙ動き係数生成回路３０６において、ゲイン調整回路を用いて、フレーム間の差分の絶対値に対して適切な係数を乗算することで動き検出感度を調整して、所望の大きさのＹ動き係数ＭＶＣy を生成して出力する。
【手続補正１１】
【補正対象書類名】明細書
【補正対象項目名】００３８
【補正方法】変更
【補正の内容】
【００３８】
動き係数生成回路４０６は、選択回路４０５から入力される動き量に応じて動き係数ＭＶＣc を生成する。なお、動き係数生成回路４０６において、絶対値、コアリング及びゲイン調整の処理が行われる。絶対値処理は、選択回路４０５から入力される動き量の絶対値が計算される。そして、コアリング処理では、動き量の絶対値と所定の基準値との比較が行われ、動き量の絶対値が基準値よりも小さいとき、動き量を０に置き換えられる。コアリング処理により、振幅の小さいノイズ成分が除去される。
さらに、ゲイン調整処理において、選択回路４０５から入力される動き量の絶対値、即ちフレーム間Ｃ信号の差分の絶対値に対して適切な係数を乗算することで動き検出感度を調整して、所望の大きさのＣ動き係数ＭＶＣc を生成して出力する。
【手続補正１２】
【補正対象書類名】明細書
【補正対象項目名】００５２
【補正方法】変更
【補正の内容】
【００５２】
絶対値回路４２８は、輝度差分信号ΔＹの絶対値を計算する。
ローパスフィルタ４２９は、絶対値回路４２８によって計算され輝度差分信号ΔＹの絶対値の高域成分を除去する。